【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
複数の量子化ローバンドパラメータとオーディオ信号のローバンドパラメータのセットとに基づいて、ハイバンドパラメータの第１のセットとハイバンドパラメータの第２のセットとを決定することと、ここにおいて、前記複数の量子化ローバンドパラメータの数は、前記オーディオ信号のフレームごとに変化する、
ハイバンドパラメータの前記第１のセットとハイバンドパラメータの前記第２のセットとの重み付き結合に基づいてハイバンドパラメータのセットを予測することと
を備える方法。
【請求項２】
ハイバンドパラメータの前記第１のセットとハイバンドパラメータの前記第２のセットとは、前記複数の量子化ローバンドパラメータと前記オーディオ信号のローバンドパラメータの前記セットとの間の重み付き差分に基づいて決定され、前記複数の量子化ローバンドパラメータの前記数は、前記オーディオ信号のフレームごとに適応的に変化し、モバイルデバイスで受信された信号からローバンドパラメータの前記セットを抽出すること、および線形領域ハイバンドパラメータのセットを取得するためにハイバンドパラメータの前記予測されたセットを非線形領域から線形領域に変換することをさらに備える、請求項１に記載の方法。
【請求項３】
ローバンドパラメータの前記セットは、スピーチボコーダで受信された狭帯域ビットストリームに含まれ、ローバンドパラメータの前記セットは、前記オーディオ信号の第１のフレームに対応するローバンドパラメータの第１のセットを含む、請求項１に記載の方法。
【請求項４】
ハイバンドパラメータの前記第１のセットとハイバンドパラメータの前記第２のセットとを決定することは、
ローバンドパラメータの前記第１のセットに基づいてベクトル化テーブルの複数の状態から第１の状態を選択することと、
ローバンドパラメータの前記第１のセットに基づいて前記ベクトル化テーブルの前記複数の状態から第２の状態を選択することと
を備え、
ここにおいて、前記第１の状態はハイバンドパラメータの前記第１のセットに関連し、前記第２の状態はハイバンドパラメータの前記第２のセットに関連する、請求項３に記載の方法。
【請求項５】
前記第１の状態と前記第２の状態との特定の状態を選択することと、
前記オーディオ信号の第２のフレームに対応するローバンドパラメータの第２のセットを受信することと、
遷移確率行列中の成分に基づいて、前記特定の状態から候補状態への遷移に関連するバイアス値を決定することと、
前記バイアス値に基づいてローバンドパラメータの前記第２のセットと前記候補状態との間の差分を決定することと、
前記差分に基づいて前記第２のフレームに対応する状態を選択することと
をさらに備える、請求項４に記載の方法。
【請求項６】
前記オーディオ信号の第２のフレームに対応するローバンドパラメータの第２のセットを受信することと、
ローバンドパラメータの前記第１のセットを有声または無声として分類することと、
ローバンドパラメータの前記第２のセットを有声または無声として分類することと、
ローバンドパラメータの前記第１のセットの第１の分類と、ローバンドパラメータの前記第２のセットの第２の分類と、ローバンドパラメータの前記第１のセットに対応する第１のエネルギー値と、ローバンドパラメータの前記第２のセットに対応する第２のエネルギー値とに基づいて、前記第２のフレームの利得パラメータを選択的に調整することと
をさらに備える、請求項３に記載の方法。
【請求項７】
前記利得パラメータを選択的に調整することは、ローバンドパラメータの前記第１のセットが有声として分類され、ローバンドパラメータの前記第２のセットが有声として分類されたとき、
前記第１のエネルギー値がしきい値エネルギー値を超えるとき、および前記第２のエネルギー値が前記しきい値エネルギー値を超えるとき、しきい値利得を超える前記利得パラメータに応答して前記利得パラメータを調整すること
を備える、請求項６に記載の方法。
【請求項８】
前記利得パラメータを選択的に調整することは、ローバンドパラメータの前記第１のセットが無声として分類され、ローバンドパラメータの前記第２のセットが有声として分類されたとき、
前記第２のエネルギー値がしきい値エネルギー値を超えるとき、および前記第２のエネルギー値が前記第１のエネルギー値の第１の倍数を超えるとき、しきい値利得を超える前記利得パラメータに応答して前記利得パラメータを調整すること
を備える、請求項６に記載の方法。
【請求項９】
前記利得パラメータを選択的に調整することは、ローバンドパラメータの前記第１のセットが有声として分類され、ローバンドパラメータの前記第２のセットが無声として分類されたとき、
前記第２のエネルギー値がしきい値エネルギー値を超えるとき、および前記第２のエネルギー値が前記第１のエネルギー値の第２の倍数を超えるとき、しきい値利得を超える前記利得パラメータに応答して前記利得パラメータを調整すること
を備える、請求項６に記載の方法。
【請求項１０】
前記利得パラメータを選択的に調整することは、ローバンドパラメータの前記第１のセットが無声として分類され、ローバンドパラメータの前記第２のセットが無声として分類されたとき、
前記第２のエネルギー値が前記第１のエネルギー値の第３の倍数を超えるとき、および前記第２のエネルギー値がしきい値エネルギー値を超えるとき、しきい値利得を超える前記利得パラメータに応答して前記利得パラメータを調整すること
を備える、請求項６に記載の方法。
【請求項１１】
前記決定することおよび前記予測することは、モバイル通信デバイスを備えるデバイス内で実施される、請求項１に記載の方法。
【請求項１２】
前記決定することおよび前記予測することは、固定位置通信ユニットを備えるデバイス内で実施される、請求項１に記載の方法。
【請求項１３】
プロセッサと、
複数の量子化ローバンドパラメータとオーディオ信号のローバンドパラメータのセットとに基づいて、ハイバンドパラメータの第１のセットとハイバンドパラメータの第２のセットとを決定することと、ここにおいて、前記複数の量子化ローバンドパラメータの数は、前記オーディオ信号のフレームごとに変化する、
ハイバンドパラメータの前記第１のセットとハイバンドパラメータの前記第２のセットとの重み付き結合に基づいてハイバンドパラメータのセットを予測することと
を備える動作を実施するように前記プロセッサによって実行可能な命令を記憶したメモリと
を備える、装置。
【請求項１４】
前記動作は、線形領域ハイバンドパラメータのセットを取得するためにハイバンドパラメータの前記予測されたセットを非線形領域から線形領域に変換することをさらに備え、ローバンドパラメータの前記セットは、前記オーディオ信号の第１のフレームに対応するローバンドパラメータの第１のセットを含み、ハイバンドパラメータの前記第１のセットとハイバンドパラメータの前記第２のセットとを決定することは、
ローバンドパラメータの前記第１のセットに基づいてベクトル化テーブルの複数の状態から第１の状態を選択することと、
ローバンドパラメータの前記第１のセットに基づいて前記ベクトル化テーブルの前記複数の状態から第２の状態を選択することと、
を備え、
ここにおいて、前記第１の状態はハイバンドパラメータの前記第１のセットに関連し、前記第２の状態はハイバンドパラメータの前記第２のセットに関連する、請求項１３に記載の装置。
【請求項１５】
前記動作が、
前記第１の状態と前記第２の状態との特定の状態を選択することと、
前記オーディオ信号の第２のフレームに対応するローバンドパラメータの第２のセットを受信することと、
遷移確率行列中の成分に基づいて、前記特定の状態から候補状態への遷移に関連するバイアス値を決定することと、
前記バイアス値に基づいてローバンドパラメータの前記第２のセットと前記候補状態との間の差分を決定することと、
前記差分に基づいて前記第２のフレームに対応する状態を選択することと
をさらに備える、請求項１４に記載の装置。
【請求項１６】
ローバンドパラメータの前記セットは、前記オーディオ信号の第１のフレームに対応するローバンドパラメータの第１のセットを含み、前記動作は、
前記オーディオ信号の第２のフレームに対応するローバンドパラメータの第２のセットを受信することと、
ローバンドパラメータの前記第１のセットを有声または無声として分類することと、
ローバンドパラメータの前記第２のセットを有声または無声として分類することと、
ローバンドパラメータの前記第１のセットの第１の分類と、ローバンドパラメータの前記第２のセットの第２の分類と、ローバンドパラメータの前記第１のセットに対応する第１のエネルギー値と、ローバンドパラメータの前記第２のセットに対応する第２のエネルギー値とに基づいて、前記第２のフレームの利得パラメータを選択的に調整することと
をさらに備える、請求項１３に記載の装置。
【請求項１７】
前記利得パラメータを選択的に調整することは、ローバンドパラメータの前記第１のセットが有声として分類され、ローバンドパラメータの前記第２のセットが有声として分類されたとき、
前記第１のエネルギー値がしきい値エネルギー値を超えるとき、および前記第２のエネルギー値が前記しきい値エネルギー値を超えるとき、しきい値利得を超える前記利得パラメータに応答して前記利得パラメータを調整すること
を備える、請求項１６に記載の装置。
【請求項１８】
前記利得パラメータを選択的に調整することは、ローバンドパラメータの前記第１のセットが無声として分類され、ローバンドパラメータの前記第２のセットが有声として分類されたとき、
前記第２のエネルギー値がしきい値エネルギー値を超えるとき、および前記第２のエネルギー値が前記第１のエネルギー値の第１の倍数を超えるとき、しきい値利得を超える前記利得パラメータに応答して前記利得パラメータを調整すること
を備える、請求項１６に記載の装置。
【請求項１９】
前記利得パラメータを選択的に調整することは、ローバンドパラメータの前記第１のセットが有声として分類され、ローバンドパラメータの前記第２のセットが無声として分類されたとき、
前記第２のエネルギー値がしきい値エネルギー値を超えるとき、および前記第２のエネルギー値が前記第１のエネルギー値の第２の倍数を超えるとき、しきい値利得を超える前記利得パラメータに応答して前記利得パラメータを調整すること
を備える、請求項１６に記載の装置。
【請求項２０】
前記利得パラメータを選択的に調整することは、ローバンドパラメータの前記第１のセットが無声として分類され、ローバンドパラメータの前記第２のセットが無声として分類されたとき、
前記第２のエネルギー値が前記第１のエネルギー値の第３の倍数を超えるとき、および前記第２のエネルギー値がしきい値エネルギー値を超えるとき、しきい値利得を超える前記利得パラメータに応答して前記利得パラメータを調整すること
を備える、請求項１６に記載の装置。
【請求項２１】
アンテナと、
前記アンテナに結合され、前記オーディオ信号に対応する信号を受信するように構成された受信機と
をさらに備える、請求項１３に記載の装置。
【請求項２２】
前記プロセッサ、前記メモリ、前記受信機、および前記アンテナは、モバイル通信デバイスに組み込まれる、請求項２１に記載の装置。
【請求項２３】
前記プロセッサ、前記メモリ、前記受信機、および前記アンテナは、固定位置通信ユニットに組み込まれる、請求項２１に記載の装置。
【請求項２４】
プロセッサによって実行されたとき、
複数の量子化ローバンドパラメータとオーディオ信号のローバンドパラメータのセットとに基づいて、ハイバンドパラメータの第１のセットとハイバンドパラメータの第２のセットとを決定することと、ここにおいて、前記複数の量子化ローバンドパラメータの数は、前記オーディオ信号のフレームごとに変化する、
ハイバンドパラメータの前記第１のセットとハイバンドパラメータの前記第２のセットとの重み付き結合に基づいてハイバンドパラメータのセットを予測することと
を前記プロセッサに行わせる命令を備える非一時的コンピュータ可読媒体。
【請求項２５】
前記命令は、線形領域ハイバンドパラメータのセットを取得するためにハイバンドパラメータの前記予測されたセットを非線形領域から線形領域に変換することを前記プロセッサに行わせるようにさらに実行可能であり、ローバンドパラメータの前記セットは、前記オーディオ信号の第１のフレームに対応するローバンドパラメータの第１のセットを含み、ハイバンドパラメータの前記第１のセットとハイバンドパラメータの前記第２のセットとを決定することは、
ローバンドパラメータの前記第１のセットに基づいてベクトル化テーブルの複数の状態から第１の状態を選択することと、
ローバンドパラメータの前記第１のセットに基づいて前記ベクトル化テーブルの前記複数の状態から第２の状態を選択することと、
を備え、
ここにおいて、前記第１の状態はハイバンドパラメータの前記第１のセットに関連し、前記第２の状態はハイバンドパラメータの前記第２のセットに関連する、
請求項２４に記載の非一時的コンピュータ可読媒体。
【請求項２６】
前記命令は、
前記第１の状態と前記第２の状態との特定の状態を選択することと、
前記オーディオ信号の第２のフレームに対応するローバンドパラメータの第２のセットを受信することと、
遷移確率行列中の成分に基づいて、前記特定の状態から候補状態への遷移に関連するバイアス値を決定することと、
前記バイアス値に基づいてローバンドパラメータの前記第２のセットと前記候補状態との間の差分を決定することと、
前記差分に基づいて前記第２のフレームに対応する状態を選択することと
を前記プロセッサに行わせるようにさらに実行可能である、請求項２５に記載の非一時的コンピュータ可読媒体。
【請求項２７】
ローバンドパラメータの前記セットは、前記オーディオ信号の第１のフレームに対応するローバンドパラメータの第１のセットを含み、前記命令は、
前記オーディオ信号の第２のフレームに対応するローバンドパラメータの第２のセットを受信することと、
ローバンドパラメータの前記第１のセットを有声または無声として分類することと、
ローバンドパラメータの前記第２のセットを有声または無声として分類することと、
ローバンドパラメータの前記第１のセットの第１の分類と、ローバンドパラメータの前記第２のセットの第２の分類と、ローバンドパラメータの前記第１のセットに対応する第１のエネルギー値と、ローバンドパラメータの前記第２のセットに対応する第２のエネルギー値とに基づいて、前記第２のフレームの利得パラメータを選択的に調整することと
を前記プロセッサに行わせるようにさらに実行可能である、請求項２４に記載の非一時的コンピュータ可読媒体。
【請求項２８】
複数の量子化ローバンドパラメータとオーディオ信号のローバンドパラメータのセットとに基づいて、ハイバンドパラメータの第１のセットとハイバンドパラメータの第２のセットとを決定するための手段と、ここにおいて、前記複数の量子化ローバンドパラメータの数は、前記オーディオ信号のフレームごとに変化する、
ハイバンドパラメータの前記第１のセットとハイバンドパラメータの前記第２のセットとの重み付き結合に基づいてハイバンドパラメータのセットを予測するための手段と
を備える装置。
【請求項２９】
線形領域ハイバンドパラメータのセットを取得するためにハイバンドパラメータの前記予測されたセットを非線形領域から線形領域に変換するための手段をさらに備え、ローバンドパラメータの前記セットは、前記オーディオ信号の第１のフレームに対応するローバンドパラメータの第１のセットを含み、ハイバンドパラメータの前記第１のセットとハイバンドパラメータの前記第２のセットとを決定するための前記手段は、
ローバンドパラメータの前記第１のセットに基づいてベクトル化テーブルの複数の状態から第１の状態を選択するための手段と、
ローバンドパラメータの前記第１のセットに基づいて前記ベクトル化テーブルの前記複数の状態から第２の状態を選択するための手段と
を備え、
ここにおいて、前記第１の状態はハイバンドパラメータの前記第１のセットに関連し、前記第２の状態はハイバンドパラメータの前記第２のセットに関連する、請求項２８に記載の装置。
【請求項３０】
決定するための前記手段と予測するための前記手段とは、モバイル通信デバイスに組み込まれる、請求項２８に記載の装置。
【請求項３１】
決定するための前記手段と予測するための前記手段とは、固定位置通信ユニットに組み込まれる、請求項２８に記載の装置。